Podtech/llm-jp-corpus-v4-ja_patent huggingface dataset:
【手続補正書】
【提出日】平成22年9月2日(2010.9.2)
【手続補正１】
【補正対象書類名】特許請求の範囲
【補正対象項目名】全文
【補正方法】変更
【補正の内容】
【特許請求の範囲】
【請求項１】
０．０００１〜５０質量％の濃度の過マレイン酸を有効成分とすることを特徴とする、消毒剤。
【請求項２】
ガス検知管で測定した際の酢酸換算による臭気感知濃度が１ｐｐｍ以下であることを特徴とする、請求項１記載の消毒剤。
【請求項３】
マレイン酸および／または過酸化水素を更に含む、請求項１または２記載の消毒剤。
【請求項４】
請求項１〜３いずれか１項に記載の消毒剤を用いた消毒方法であって、細菌芽胞に対して、前記過マレイン酸を１０質量％の濃度以上で施用することを特徴とする、消毒方法。
【請求項５】
請求項１〜３いずれか１項に記載の消毒剤を用いた消毒方法であって、抗酸菌に対して、前記過マレイン酸を２．５質量％の濃度以上で施用することを特徴とする、消毒方法。
【請求項６】
請求項１〜３いずれか１項に記載の消毒剤を用いた消毒方法であって、バクテリアに対して、前記過マレイン酸を０．３質量％の濃度以上で施用することを特徴とする、消毒方法。
【請求項７】
請求項１〜３いずれか１項に記載の消毒剤を用いた消毒方法であって、真菌に対して、前記過マレイン酸を１．２５質量％の濃度以上で施用することを特徴とする、消毒方法。
【請求項８】
請求項１〜３いずれか１項に記載の消毒剤を用いた消毒方法であって、ウイルスに対して、前記過マレイン酸を０．１質量％の濃度以上で施用することを特徴とする、消毒方法。
【請求項９】
ヒト及び動物衛生、パッキング、ラッピング、医療器具、工業器具、ヘルスケア環境、工業設備、冷却塔、エアコン導管、食品産業用である、請求項４〜８いずれか１項に記載の消毒方法。
【請求項１０】
過酸化水素と無水マレイン酸を混合して過マレイン酸を発生させる工程を含む、消毒剤の製造方法。
【請求項１１】
過酸化水素と無水マレイン酸を構成成分とする消毒剤製造用キット。
【手続補正２】
【補正対象書類名】明細書
【補正対象項目名】００５４
【補正方法】変更
【補正の内容】
【００５４】
【表６】
2009084159.tif 000001
【手続補正書】
【提出日】平成22年2月17日(2010.2.17)
【手続補正１】
【補正対象書類名】明細書
【補正対象項目名】００５３
【補正方法】変更
【補正の内容】
【００５３】
本発明の組成物は、クラレメディカル社製の歯科用コンポジットレジン接着材料の市販品（商品名「クリアフィル  メガボンド」（以下、ＭＢと略称する。））をベースに構成することができる。すなわち、ＭＢはプライマーとボンドとで構成されるが、そのプライマーは本発明の組成物の構成成分（ａ）〜（ｆ）のうち、（ｄ）ペプチド（ｐＡ及びｐＢ）及び（ｅ）塩化カルシウムを除く全ての成分を前述の含有量の範囲内で含む組成物であり、また、そのボンドは本発明の接着材キットのボンドの構成成分（ｇ）〜（ｉ）の全ての成分を前述の含有量の範囲内で含む組成物である。
【手続補正書】
【提出日】平成22年6月15日(2010.6.15)
【手続補正１】
【補正対象書類名】明細書
【補正対象項目名】００１０
【補正方法】変更
【補正の内容】
【００１０】
特許文献２の方法では、ホウ素除去のためにキャリアガスによりＨ２ＯやＣＯ２を発生する固体（Ｃａ（ＯＨ）２、ＣａＣＯ３等）を吹き込む工程を行うことが必要である。さらには、キャリアガスであるＡｒ、Ｈ２、ＣＯ等自体が高価あるかあるいは危険を伴うものであり操業が容易ではない。
【手続補正書】
【提出日】平成22年3月25日(2010.3.25)
【手続補正１】
【補正対象書類名】明細書
【補正対象項目名】０００８
【補正方法】変更
【補正の内容】
【０００８】
グラファイトナノファイバーの電子顕微鏡写真を図１に、カーボンナノチューブの電子顕微鏡写真を図２に示す。
図１から、グラファイトナノファイバーが側壁に欠陥を多く持つことが確認できる。
しかし、上述したように、ファイバー成長後、ファイバー側面がアモルファスカーボンで覆われてしまうと、電子放出特性を大幅に劣化させる原因となる。
【手続補正２】
【補正対象書類名】明細書
【補正対象項目名】００３１
【補正方法】変更
【補正の内容】
【００３１】
＜比較例３＞
比較例１によって作成したＧＮＦを用い、Ｏ2ガス中において、温度４００℃、１０分間の条件で加熱処理を行った。
処理後の試料に対し、電子顕微鏡観察を行なったところ、ＧＮＦは消失していた。
【手続補正３】
【補正対象書類名】明細書
【補正対象項目名】００３５
【補正方法】変更
【補正の内容】
【００３５】
【図１】グラファイトナノファイバーを示す電子顕微鏡写真
【図２】カーボンナノチューブを示す電子顕微鏡写真
【図３】本発明に係るグラファイトナノファイバーの製造方法の一例を示す流れ図
【図４】実施例及び比較例のＩ−Ｖ特性を示すグラフ
【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
以下の工程を含むことを特徴とする半導体装置の製造方法：
（ａ）半導体素子と、前記半導体素子を封止する封止体と、前記封止体から露出する外部接続端子とを備えた中間品を準備する工程；
（ｂ）前記（ａ）工程の後、めっき処理部と、前記中間品を搬送する搬送手段とを備えためっき装置を用いて、前記外部接続端子に錫系鉛フリー半田層を形成する工程；
ここで、
前記搬送手段の動作時には、前記めっき処理部内に設けられためっき電極間に第１電流を通電し、
前記搬送手段の停止時には、前記めっき処理部内に設けられためっき電極間に、前記第１電流よりも低い第２電流を通電する。
【請求項２】
請求項１に記載の半導体装置の製造方法において、前記第２電流は前記第１電流の２０％〜６０％の範囲であることを特徴とする半導体装置の製造方法。
【請求項３】
請求項２に記載の半導体装置の製造方法において、
前記めっき装置は、さらに電源を備えており、
前記電源は、
前記搬送手段の動作時には、前記めっき電極間に第１電圧を供給し、
前記搬送手段の停止時には、前記第１電圧よりも低い第２電圧を前記めっき電極間に供給することを特徴とする半導体装置の製造方法。
【請求項４】
請求項２に記載の半導体装置の製造方法において、
前記めっき電極間に通電される電流はパルス電流であり、
前記第２電流を通電させる場合の前記パルス電流の単位時間当りのＯＮ時間の割合は、前記第１電流を通電させる場合の前記パルス電流の単位時間当りのＯＮ時間の割合よりも短いことを特徴とする半導体装置の製造方法。
【請求項５】
請求項４に記載の半導体装置の製造方法において、
前記めっき装置は、さらに電源を備えており、
前記電源は、
前記搬送手段の動作時には、前記めっき電極間に第１電圧を供給し、
前記搬送手段の停止時には、前記第１電圧よりも低い第２電圧を前記めっき電極間に供給することを特徴とする半導体装置の製造方法。
【手続補正２】
【補正対象書類名】明細書
【補正対象項目名】００２３
【補正方法】変更
【補正の内容】
【００２３】
すなわち、以下の工程を含む半導体装置の製造方法である：
（ａ）半導体素子と、前記半導体素子を封止する封止体と、前記封止体から露出する外部接続端子とを備えた中間品を準備する工程；
（ｂ）前記（ａ）工程の後、めっき処理部と、前記中間品を搬送する搬送手段とを備えためっき装置を用いて、前記外部接続端子に錫系鉛フリー半田層を形成する工程；
ここで、
前記搬送手段の動作時には、前記めっき処理部内に設けられためっき電極間に第１電流を通電し、
前記搬送手段の停止時には、前記めっき処理部内に設けられためっき電極間に、前記第１電流よりも低い第２電流を通電する。
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
水と窒素とからアンモニアを電解合成する装置であって、前記装置は、
（１）電解浴である溶融塩に微細化された水蒸気とＮ３−とを供給することによって前記アンモニアを合成する装置であり、
（２）前記水蒸気の反応によって生じるＯ２−を酸化して酸素ガスを発生させる陽極と、
（３）窒素ガスを還元してＮ３−を発生させる陰極と、
（４）前記溶融塩にガス成分を供給し、前記ガス成分を含む前記溶融塩の上昇流によって、前記溶融塩を、前記陽極を一部に有するループ内で循環する手段とを
有することを特徴とするアンモニア電解合成装置。
【請求項２】
前記溶融塩は、アルカリ金属ハロゲン化物及びアルカリ土類金属ハロゲン化物からなる群から選択される少なくとも１種である、請求項１に記載のアンモニア電解合成装置。
【請求項３】
前記微細化された水蒸気は、気泡径が１００ｎｍ〜１ｍｍである、請求項１又は２に記載のアンモニア電解合成装置。
【請求項４】
前記微細化された水蒸気は、前記溶融塩１ｃｍ３当たりに前記気泡が１０個〜１０００万個含まれるように供給される、請求項１又は２に記載のアンモニア電解合成装置。
【請求項５】
前記ガス成分は、不活性ガスを含む、請求項１〜４のいずれかに記載のアンモニア電解合成装置。
【請求項６】
前記ガス成分は、電解浴の底部又は底部近傍に設けられた供給口から供給される、請求項１〜５のいずれかに記載のアンモニア電解合成装置。
【請求項７】
前記電解合成により得られるアンモニア含有ガスから不純物を除去するトラップ手段を更に有する、請求項１〜６のいずれかに記載のアンモニア電解合成装置。
【手続補正２】
【補正対象書類名】明細書
【補正対象項目名】０００９
【補正方法】変更
【補正の内容】
【０００９】
即ち、本発明は下記のアンモニア電解合成装置に関する。
１．水と窒素とからアンモニアを電解合成する装置であって、前記装置は、
（１）電解浴である溶融塩に微細化された水蒸気とＮ３−とを供給することによって前記アンモニアを合成する装置であり、
（２）前記水蒸気の反応によって生じるＯ２−を酸化して酸素ガスを発生させる陽極と、
（３）窒素ガスを還元してＮ３−を発生させる陰極と、
（４）前記溶融塩にガス成分を供給し、前記ガス成分を含む前記溶融塩の上昇流によって、前記溶融塩を、前記陽極を一部に有するループ内で循環する手段とを
有することを特徴とするアンモニア電解合成装置。
２．前記溶融塩は、アルカリ金属ハロゲン化物及びアルカリ土類金属ハロゲン化物からなる群から選択される少なくとも１種である、上記項１に記載のアンモニア電解合成装置。
３．前記微細化された水蒸気は、気泡径が１００ｎｍ〜１ｍｍである、上記項１又は２に記載のアンモニア電解合成装置。
４．前記微細化された水蒸気は、前記溶融塩１ｃｍ３当たりに前記気泡が１０個〜１０００万個含まれるように供給される、上記項１又は２に記載のアンモニア電解合成装置。
５．前記ガス成分は、不活性ガスを含む、上記項１〜４のいずれかに記載のアンモニア電解合成装置。
６．前記ガス成分は、電解浴の底部又は底部近傍に設けられた供給口から供給される、上記項１〜５のいずれかに記載のアンモニア電解合成装置。
７．前記電解合成により得られるアンモニア含有ガスから不純物を除去するトラップ手段を更に有する、上記項１〜６のいずれかに記載のアンモニア電解合成装置。
【手続補正３】
【補正対象書類名】明細書
【補正対象項目名】００３３
【補正方法】変更
【補正の内容】
【００３３】
水蒸気の気泡径は、溶融塩の温度、Ｎ３−濃度、水蒸気の気泡数等に依存する。従って、水蒸気の気泡径は、アンモニア生成部の規模や陰極でのＮ３−生成速度に応じて決定する。水蒸気の気泡径は厳密ではないが、１００ｎｍ〜１ｍｍ程度が好ましく、１μｍ〜１ｍｍ程度がより好ましい。なお、この気泡径は水蒸気を溶融塩に供給時（又は供給直後）の気泡径であり、Ｎ３−との反応が進行するにつれて気泡径が減少する。
【手続補正書】
【提出日】平成22年10月1日(2010.10.1)
【手続補正１】
【補正対象書類名】特許請求の範囲
【補正対象項目名】全文
【補正方法】変更
【補正の内容】
【特許請求の範囲】
【請求項１】
炭素数が１０〜１４である直鎖状炭化水素基を有するアニオン系油剤成分と、炭素数が１０〜１４である直鎖状炭化水素基を有するノニオン系油剤成分とが付着してなり、前記油剤成分の総付着量が繊維重量当り０．２〜０．８重量％であり、かつ、繊維長が２〜１０ｍｍの範囲であることを特徴とする湿式不織布用ポリアミド短繊維。
【手続補正２】
【補正対象書類名】明細書
【補正対象項目名】００１５
【補正方法】変更
【補正の内容】
【００１５】
本発明は、かかる課題を解決するために、次のような手段を採用するものである。
すなわち、炭素数が１０〜１４である直鎖状炭化水素基を有するアニオン系油剤成分と、炭素数が１０〜１４である直鎖状炭化水素基を有するノニオン系油剤成分とが付着してなり、前記油剤成分の総付着量が繊維重量当り０．２〜０．８重量％であり、かつ、繊維長が２〜１０ｍｍの範囲であることを特徴とする湿式不織布用ポリアミド短繊維である。
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
下記式（１）：
【化１】
2009084374.tif 000001
ただし、Ｒ１およびＲ２は、それぞれ独立して、炭素数１〜５の直鎖または分岐鎖状のアルキル基であり、
Ｒ３、Ｒ４、Ｒ５、Ｒ６およびＲ７のうち少なくとも一以上が、それぞれ独立して、下記式（２）〜式（８）より選択される置換基であり、かつ、残りは水素原子である、
で示される酸化発色化合物またはこれらの塩。
下記式（２）：
【化２】
2009084374.tif 000002
下記式（３）：
【化３】
2009084374.tif 000003
下記式（４）：
【化４】
2009084374.tif 000004
下記式（５）：
【化５】
2009084374.tif 000005
下記式（６）：
【化６】
2009084374.tif 000006
下記式（７）：
【化７】
2009084374.tif 000007
下記式（８）：
【化８】
2009084374.tif 000008
ただし、Ｒ８は、少なくとも一以上のヒドロキシル基を有する直鎖、分岐鎖状または環状のアルキル基であり、
Ｒ９は、少なくとも一以上のヒドロキシル基を有する直鎖、分岐鎖状または環状のアルキル基または水素原子であり、
この際、Ｒ８およびＲ９は、同一であっても、または、異なるものであってもよい。
【請求項２】
Ｒ１およびＲ２が、メチル基である、請求項１に記載の酸化発色化合物またはこれらの塩。
【請求項３】
Ｒ８が、ヒドロキシル基を１〜５個有する炭素数２〜６の直鎖または分岐鎖状のアルキル基であり、Ｒ９が、水素原子である、または、
Ｒ８およびＲ９が、それぞれ独立して、ヒドロキシル基を１〜５個有する炭素数２〜６の直鎖または分岐鎖状のアルキル基である、請求項１または２に記載の酸化発色化合物またはこれらの塩。
【請求項４】
Ｒ８が、２，３−ジヒドロキシ−ｎ−プロピル基、ビス（ヒドロキシメチル）メチル基または２，３，４，５，６−ペンタヒドロキシ−ｎ−ヘキシル基であり、Ｒ９が、水素原子である、または、
Ｒ８およびＲ９が、それぞれ独立して、２，３−ジヒドロキシ−ｎ−プロピル基、ビス（ヒドロキシメチル）メチル基または２，３，４，５，６−ペンタヒドロキシ−ｎ−ヘキシル基である、請求項１〜３のいずれか１項に記載の酸化発色化合物またはこれらの塩。
【請求項５】
Ｒ５が、前記式（２）〜式（８）からなる群から選択され、
Ｒ３、Ｒ４、Ｒ６およびＲ７が、水素原子である、請求項１〜４のいずれか１項に記載の酸化発色化合物またはこれらの塩。
【請求項６】
請求項１〜５のいずれか１項に記載の酸化発色化合物またはこれらの塩と、
トリンダー試薬と、
測定対象物に対して選択的に作用するオキシダーゼと、
ペルオキシダーゼと、
を含む試薬組成物。
【請求項７】
請求項６に記載の試薬組成物が、担体に保持されてなる試験具。
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
下記化学式（１）で表される酸化発色化合物またはその塩；
【化１】
2009084375.tif 000001
前記化学式（１）中、Ｒ１およびＲ２は、それぞれ独立して、炭素数１〜５の直鎖状または分岐鎖状のアルキル基であり、Ｒ３、Ｒ４、Ｒ５、Ｒ６およびＲ７は、それぞれ独立して、官能基を有していてもよい水溶性高分子基または水素原子であり、この際、Ｒ３、Ｒ４、Ｒ５、Ｒ６およびＲ７の少なくとも一は、官能基を有していてもよい水溶性高分子基であり、残りは水素原子である。
【請求項２】
前記官能基を有していてもよい水溶性高分子基は、下記化学式（２）〜（８）で表される基からなる群より選択される少なくとも１種の基である、請求項１に記載の酸化発色化合物またはその塩；
【化２】
2009084375.tif 000002
【化３】
2009084375.tif 000003
【化４】
2009084375.tif 000004
【化５】
2009084375.tif 000005
【化６】
2009084375.tif 000006
【化７】
2009084375.tif 000007
【化８】
2009084375.tif 000008
前記化学式（２）〜（８）中、Ｘはそれぞれ独立してスペーサー基であり、Ｙはそれぞれ独立して水溶性高分子である。
【請求項３】
前記化学式（１）中のＲ１およびＲ２がメチル基である、請求項１または２に記載の酸化発色化合物またはその塩。
【請求項４】
前記水溶性高分子が、ポリエチレングリコール、ポリプロピレングリコール、およびポリアクリルアミドからなる群より選択される少なくとも１種の高分子である、請求項２または３に記載の酸化発色化合物またはその塩。
【請求項５】
前記水溶性高分子の重量平均分子量が５００〜１００，０００である、請求項２〜４のいずれか１項に記載の酸化発色化合物またはその塩。
【請求項６】
前記水溶性高分子が、重量平均分子量２，０００〜２０，０００のポリエチレングリコールである、請求項５に記載の酸化発色化合物またはその塩。
【請求項７】
前記スペーサー基が、アミド結合、イミド結合、エーテル結合、エステル結合、チオエーテル結合、およびスルホンアミド結合からなる群より選択される少なくとも１種の結合を含んでいてもよい炭素数１〜２０の直鎖状または分岐鎖状のアルキレン基である、請求項２〜６のいずれか１項に記載の酸化発色化合物またはその塩。
【請求項８】
請求項１〜７のいずれか１項に記載の酸化発色化合物またはその塩と、
トリンダー試薬と、
測定対象物に対して選択的に作用するオキシダーゼと、
ペルオキシダーゼと、
を含む試薬組成物。
【請求項９】
請求項８に記載の試薬組成物が担体に保持されてなる試験具。
【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
（ｉ）アルコキシシリル基及び（メタ）アクリロイル基を同一分子内に有する化合物と、（ii）アルコキシシリル基又は／及び（メタ）アクリロイル基を持つように表面修飾された金属酸化物微粒子と、（iii）3個以上の（メタ）アクリロイル基を有する多官能（メタ）アクリレートと、（iv）重合開始剤として光ラジカル重合開始剤及び光カチオン重合開始剤と、を含有することを特徴とする樹脂組成物。
【請求項２】
請求項１の樹脂組成物は、活性エネルギー線照射により光ラジカル重合及び光カチオン重合の両方の硬化系で有機無機ハイブリッド化されることを特徴とする樹脂組成物。
【請求項３】
請求項２の樹脂組成物において、（ｉ）、（ii）、（iii）の割合が全固形分に対して
（ｉ）成分          ３〜５０重量％
（ii）成分          ２０〜９０重量％
（iii）成分          ３〜５０重量％
であり、（iv）成分は（i）成分＋（iii）成分の重量に対して
（iv）成分          １〜４０重量％
であることを特徴とする樹脂組成物。
【請求項４】
請求項２の樹脂組成物は、活性エネルギー線硬化することにより超高硬度の鉛筆硬度特性を示すことを特徴とする樹脂組成物。
【請求項５】
請求項４の樹脂組成物において、（ii）成分の金属酸化物微粒子の表面修飾率は１〜１００％であることを特徴とする樹脂組成物。
【請求項６】
ヒドロキシル基又はエポキシ基又はカルボキシル基含有の（メタ）アクリレートと，これらと反応し得る官能基を含有したシランカップリング剤とを反応させることによりアルコキシシリル基及び（メタ）アクリロイル基を同一分子内に有する化合物を得る第１ステップと、
有機溶媒を分散媒とした金属酸化物微粒子中に、金属酸化物微粒子表面のヒドロキシル基と反応する官能基を含むシランカップリング剤又は／及びヒドロキシル基と反応する官能基を含む（メタ）アクリレートとを反応させることにより、アルコキシシリル基又は／及び（メタ）アクリロイル基を持つように表面修飾された金属酸化物微粒子を得る第２ステップと、
前記第１ステップにより得られた前記化合物と、前記第２ステップにて得られた前記表面修飾された金属酸化物微粒子と、3個以上の（メタ）アクリロイル基を有する多官能（メタ）アクリレートと、光ラジカル重合開始剤及び光カチオン重合開始剤と、を混合する第３ステップと、
を有することを特徴とする樹脂組成物の製造方法。
【手続補正２】
【補正対象書類名】明細書
【補正対象項目名】０００４
【補正方法】変更
【補正の内容】
【０００４】
上記課題を解決するために、本発明は以下のようか構成を備えることを特徴とする。
（１）  （ｉ）アルコキシシリル基及び（メタ）アクリロイル基を同一分子内に有する化合物と、（ii）アルコキシシリル基又は／及び（メタ）アクリロイル基を持つように表面修飾された金属酸化物微粒子と、（iii）3個以上の（メタ）アクリロイル基を有する多官能（メタ）アクリレートと、（iv）重合開始剤として光ラジカル重合開始剤及び光カチオン重合開始剤と、を含有することを特徴とする。
（２）  （１）の樹脂組成物は、活性エネルギー線照射により光ラジカル重合及び光カチオン重合の両方の硬化系で有機無機ハイブリッド化されることを特徴とする。
（３）  （２）の樹脂組成物において、（ｉ）、（ii）、（iii）の割合が全固形分に対して
（ｉ）成分          ３〜５０重量％
（ii）成分          ２０〜９０重量％
（iii）成分          ３〜５０重量％
であり、（iv）成分は（i）成分＋（iii）成分の重量に対して
（iv）成分          １〜４０重量％
であることを特徴とする。
（４）  （２）の樹脂組成物は、活性エネルギー線硬化することにより超高硬度の鉛筆硬度特性を示すことを特徴とする。
（５）  （４）の樹脂組成物において、（ii）成分の金属酸化物微粒子の表面修飾率は１〜１００％であることを特徴とする。
（６  ヒドロキシル基又はエポキシ基又はカルボキシル基含有の（メタ）アクリレートと，これらと反応し得る官能基を含有したシランカップリング剤とを反応させることによりアルコキシシリル基及び（メタ）アクリロイル基を同一分子内に有する化合物を得る第１ステップと、
有機溶媒を分散媒とした金属酸化物微粒子中に、金属酸化物微粒子表面のヒドロキシル基と反応する官能基を含むシランカップリング剤又は／及びヒドロキシル基と反応する官能基を含む（メタ）アクリレートとを反応させることにより、アルコキシシリル基又は／及び（メタ）アクリロイル基を持つように表面修飾された金属酸化物微粒子を得る第２ステップと、
前記第１ステップにより得られた前記化合物と、前記第２ステップにて得られた前記表面修飾された金属酸化物微粒子と、3個以上の（メタ）アクリロイル基を有する多官能（メタ）アクリレートと、光ラジカル重合開始剤及び光カチオン重合開始剤と、を混合する第３ステップと、
を有することを特徴とする。
【誤訳訂正書】
【提出日】平成22年3月5日(2010.3.5)
【誤訳訂正１】
【訂正対象書類名】明細書
【訂正対象項目名】特許請求の範囲
【訂正方法】変更
【訂正の内容】
【特許請求の範囲】
【請求項１】  物体にケイ素を溶浸する方法であって、
ケイ素と窒化ホウ素とを含んでなる混合物であって、窒化ホウ素が６重量％以下の量で存在する混合物を形成し、
ケイ素で濡れるか又はケイ素と反応する成分を含んでなる上記物体を上記混合物と接触させ、かつ
上記で接触させた物体に上記混合物からのケイ素を溶浸せしめる
ことを含んでなる、方法。
【請求項２】  上記物体との接触が、上記混合物のスラリーを上記物体に浸漬コート若しくはスプレーコートすることを含んでなる、又は、上記物体を上記ケイ素と窒化ホウ素の粉末混合物中に埋込むことを含んでなる、請求項１記載の方法。
【請求項３】  上記物体が上記のケイ素で濡れるか又はケイ素と反応する成分を５体積％以上含んでなる、請求項１又は請求項２に記載の方法。
【請求項４】  上記のケイ素で濡れるか又はケイ素と反応する成分が元素態炭素、金属及びそれらの混合物からなる群から選択される、請求項１乃至請求項３のいずれか１項に記載の方法。
【請求項５】  上記金属がモリブデン、チタン、クロム、タングステン、銀及びアルミニウムからなる群から選択される、請求項４記載の方法。
【請求項６】  上記物体が、当該物体の１０体積％超乃至９５体積％の開放気孔率を有する、請求項１乃至請求項５のいずれか１項記載の方法。
【請求項７】  非酸化性部分真空中で、ケイ素は流体となるが上記物体の融点よりは低い溶浸温度に加熱することにより、上記の接触させた物体に上記混合物からのケイ素を溶浸せしめる、請求項１乃至請求項６のいずれか１項に記載の方法。
【請求項８】  上記ケイ素が１５０ミクロン以下の粒度を有し、かつ上記窒化ホウ素が１５０ミクロン以下の粒度を有する、請求項１乃至請求項７のいずれか１項に記載の方法。
【請求項９】  上記窒化ホウ素が六方晶窒化ホウ素である、請求項１乃至請求項８のいずれか１項に記載の方法。
【請求項１０】  上記物体が上記のケイ素で濡れるか又はケイ素と反応する成分を１０体積％以上含んでなる、請求項１記載の方法。
【請求項１１】  上記物体の残余が、炭化ケイ素、窒化ケイ素、窒化ホウ素及び窒化アルミニウムからなる群から選択されるセラミック材料を含んでなる、請求項１０記載の方法。
【請求項１２】  上記物体がケイ素／炭化ケイ素（Ｓｉ／ＳｉＣ）複合体を含んでなる、請求項１記載の方法。
【請求項１３】ケイ素で濡れるか又はケイ素と反応する成分を含んでなる上記物体を、六方晶窒化ホウ素とケイ素のスラリーでコートし、かつ上記でコートした物体に上記スラリーからのケイ素を溶浸せしめることを含んでなる、請求項１に記載の方法。
【請求項１４】液体中に分散したケイ素粉末と六方晶窒化ホウ素粉末とを含んでなるスラリーを形成し、ケイ素で濡れるか又はケイ素と反応する成分を含んでなる上記物体を上記スラリーと接触させ、かつ上記で接触させた物体に上記スラリーからのケイ素を溶浸せしめることを含んでなる、請求項１に記載の方法。
【請求項１５】  上記スラリーが水と分散剤を含んでなる、請求項１３又は請求項１４に記載の方法。
【誤訳訂正２】
【訂正対象書類名】明細書
【訂正対象項目名】００３１
【訂正方法】変更
【訂正の内容】
【００３１】
この実施例は、セラミックを溶浸するのに重量％未満のＢ粉末混合物で改善された結果が得られることを実証している。
実施例２
９４ｇのケイ素（Ｓｉ）粉末（−１００メッシュ）と６ｇの窒化ホウ素（ＢＮ）粉末（−３２５メッシュ）と６０ｇの水を混合してスラリーを調製した。これに、０．８４ｇのＲｏｈｍ  ＆  Ｈａａｓ社製Ｄｕｒａｍａｘ  Ｄ−３０１９分散剤及び１．６ｇのＲｏｈｍ  ＆  Ｈａａｓ社製Ｄｕｒａｍａｘ  Ｂ−１０３５アクリルエマルジョン型バインダーを加えた。これらの成分は磁気攪拌機を用いて均一になるまで混合した。次いで、多孔質複合体プリフォーム棒を上記スラリーに浸漬して該棒をケイ素−窒化ホウ素（Ｓｉ−ＢＮ）混合物でコートし、乾燥させた。ケイ素−窒化ホウ素（Ｓｉ−ＢＮ）混合物の量がケイ素−窒化ホウ素（Ｓｉ−ＢＮ）混合物と多孔質プリフォームの質量比にして０．８〜１．４となるまで浸漬を繰り返した。コートしたプリフォームを次いで１４３０℃にゆっくりと（５℃／分）加熱し、この温度に２０分間保った後、室温に冷却した（５℃／分）。棒の表面の残存物は掻き取りによって容易に取り除かれ、当初の多孔質プリフォームと同様の表面仕上げが得られた。溶浸棒の密度及び開放気孔度を以下の表２に示す。
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
遊技に際して各種制御を実行する制御手段と、
一定周期毎に期間経過情報を更新する経過情報更新手段と、
電源が投入された場合に時刻情報を入力する時刻情報入力手段と、
前記時刻情報及び前記期間経過情報から現在の時刻を時間情報として計測する計測手段と、
を備え、
前記制御手段は、前記計測手段により計測された前記時間情報に基づいて予め定めた制御を実行することを特徴とする遊技機。
【請求項２】
電源が投入された場合に暦情報を入力する暦情報入力手段を備え、
前記制御手段は、さらに、前記暦情報入力手段によって入力された暦情報に基づいて制御を実行することを特徴とする請求項１に記載の遊技機。
【請求項３】
演出を実行する演出実行手段を備え、
前記制御手段は、前記時間情報によって実行される演出が変化するよう前記演出実行手段を制御することを特徴とする請求項１又は２に記載の遊技機。
【請求項４】
予め定められた特定演出を記憶する特定演出記憶手段を備え、
前記制御手段は、前記時間情報に対応した時刻が予め定められた特定時刻となった場合に、前記特定演出記憶手段に記憶されている前記特定演出を実行するよう前記演出実行手段を制御することを特徴とする請求項３に記載の遊技機。
【請求項５】
識別情報が記憶される識別記憶手段と、
前記特定時刻を前記識別情報に対応付けて記憶する特定時刻記憶手段と、
を備え、
前記制御手段は、前記識別記憶手段に記憶されている識別情報に基づき当該識別情報に対応した特定時刻を前記特定時刻記憶手段から導出し、この特定時刻になった場合に、前記特定演出を実行するよう前記演出実行手段を制御することを特徴とする請求項４に記載の遊技機。
【請求項６】
電源が投入された場合に暦情報を入力する暦情報入力手段と、
複数の特定時刻を前記暦情報に対応付けて記憶する特定時刻記憶手段と、
を備え、
前記制御手段は、前記暦情報入力手段により入力された暦情報に基づき当該暦情報に対応した特定時刻を前記特定時刻記憶手段から導出し、この特定時刻になった場合に、前記特定演出を実行するよう前記演出実行手段を制御することを特徴とする請求項４に記載の遊技機。
【請求項７】
遊技機に電源が投入された場合に遊技機の初期設定を行う初期設定処理を実行する初期設定手段を備え、
前記時刻情報入力手段は、前記初期設定処理が実行された場合に前記時刻情報を入力するものであり、
前記経過情報更新手段は、前記初期設定処理が終了した場合に前記期間経過情報の更新を開始することを特徴とする請求項１乃至６のいずれか１に記載の遊技機。
【請求項８】
遊技に際して各種制御を実行する制御手段と、
一定周期毎に期間経過情報を更新する経過情報更新手段と、
時刻情報又は時刻と対応付けられた時間帯情報を入力する時刻情報入力手段と、
を備え、
前記制御手段は、前記時刻情報又は前記時間帯情報と、前記期間経過情報とに基づいて予め定めた制御を実行することを特徴とする遊技機。
【請求項９】
演出を実行する演出実行手段と、
前記演出実行手段を制御する制御手段と、
一定周期毎に期間経過情報を更新する経過情報更新手段と、
識別情報が記憶される識別記憶手段と、
電源が投入された場合に時刻情報を入力する時刻情報入力手段と、
前記時刻情報及び前記期間経過情報の値から現在の時刻を時間情報として計測する計測手段と、
を備え、
前記制御手段は、前記計測手段によって計測された前記時間情報及び前記識別情報に基づいて予め定めた演出を実行するよう前記演出実行手段を制御することを特徴とする遊技機。
【請求項１０】
前記識別情報を設定する識別情報設定手段を備え、
前記識別記憶手段は、前記識別情報設定手段により設定された前記識別情報を記憶することを特徴とする請求項９に記載の遊技機。
【手続補正書】
【提出日】平成22年4月27日(2010.4.27)
【手続補正１】
【補正対象書類名】特許請求の範囲
【補正対象項目名】全文
【補正方法】変更
【補正の内容】
【特許請求の範囲】
【請求項１】
コイル状に巻かれた線材からなる組織締付具を引き延ばして内部に挿入する管状の刺入具と、
先端が前記刺入具に挿入され、前進するときに前記刺入具に挿入した前記組織締付具を前記刺入具の先端から押し出す締付具プッシャと、
前記締付具プッシャが前進するときに前記刺入具を回転させる回転機構と、を備えるアプリケータ。
【請求項２】
請求項１に記載のアプリケータであって、
前記回転機構は、互いに嵌め合わされる前記刺入具と前記締付具プッシャとの何れか一方に設けられた螺旋溝と、前記前記刺入具と前記締付具プッシャとの他方に設けられて前記螺旋溝に係合する突起とを有するアプリケータ。
【請求項３】
請求項１に記載のアプリケータであって、
前記回転機構は、互いに嵌め合わされる前記刺入具と前記締付具プッシャとの何れか一方に設けられた螺旋凸と、前記前記刺入具と前記締付具プッシャとの他方に設けられて前記螺旋凸に係合する突起とを有するアプリケータ。
【請求項４】
請求項１に記載のアプリケータであって、
前記回転機構は、前記締付具プッシャによって前記組織締付具が押し出される距離と前記刺入具が回転するときの回転角度と間に一定の関係があるアプリケータ。
【請求項５】
請求項４に記載のアプリケータであって、
前記組織締付具がコイル略一巻き分押し出されるときに、前記刺入具が略一回転するアプリケータ。
【請求項６】
請求項１に記載のアプリケータであって、
前記組織締付具の巻き方向と前記刺入具の回転方向とが関連あるアプリケータ。
【請求項７】
請求項６に記載のアプリケータであって、
前記組織締付具の巻き方向と、前記刺入具の基端から先端へ向かって見たときの前記刺入具の回転方向とが逆であるアプリケータ。
【請求項８】
請求項１に記載のアプリケータであって、
前記刺入具の先端にそこから押し出される前記組織締付具の回転を規制する回転規制部が設けられているアプリケータ。
【請求項９】
コイル状に巻かれた線材からなる組織締付具を引き延ばした状態で内部に挿入する管状の刺入具と、
先端が前記刺入具に挿入され、前進するときに前記刺入具に挿入された前記組織締付具を前記刺入具の先端から押し出す締付具プッシャと、を備え、
前記刺入具の先端にそこから押し出される前記組織締付具の回転を規制する回転規制部が設けられているアプリケータ。
【請求項１０】
請求項９に記載のアプリケータであって、
前記回転規制部は前記刺入具の先端に形成された傾斜開口であるアプリケータ。
【請求項１１】
請求項９に記載のアプリケータであって、
前記回転規制部は前記刺入具の先端に形成された切欠であるアプリケータ。
【請求項１２】
請求項１０に記載のアプリケータであって、
前記傾斜開口の最も基端側に、前記組織締付具の一部が係合する切欠が形成されたアプリケータ。
【請求項１３】
請求項１０に記載のアプリケータであって、
前記傾斜開口に前記組織締付具の一部が係合するスリットが形成されたアプリケータ。
【請求項１４】
コイル状に巻かれた線材からなる組織締付具を引き延ばして内部に挿入する管状の刺入具と、
先端が前記刺入具に挿入され、前進するときに前記刺入具に挿入した前記組織締付具を前記刺入具の先端から押し出す締付具プッシャと、を備え、
前記刺入具の先端からさらに前方に、刺入具の先端から押し出される前記組織締付具の巻き癖による動きに追従する可動部が配設されているアプリケータ。
【請求項１５】
第一の生体組織と第二の生体組織とを締め付けるコイル状に巻かれた線材からなる組織締付具であって、
前記第一の生体組織に掛止する第一の組織固定部と、
前記第二の生体組織に掛止する第二の組織固定部と、
を備え、
前記第一の組織固定部と前記第二の組織固定部との少なくとも連結部分が断面多角形状の線材により形成された組織締付具。
【請求項１６】
請求項１５に記載の組織締付具であって、
前記第一の組織固定部と前記第二の組織固定部との少なくとも連結部分が断面４角形状の線材により形成された組織締付具。
【請求項１７】
請求項１６に記載の組織締付具であって、
前記第一の組織固定部と前記第二の組織固定部と前記連結部分とが断面４角形状の線材により形成された組織締付具。
【請求項１８】
第一の生体組織に掛止する第一の組織固定部と、第二の生体組織に掛止する第二の組織固定部とを有するコイル状に巻かれた線材からなる組織締付具と、
前記組織締付具を引き延ばして内部に挿入する管状の刺入具と、先端が前記刺入具に挿入され、前進するときに前記刺入具に挿入した前記組織締付具を前記刺入具の先端から押し出す締付具プッシャと、前記締付具プッシャが前進するときに前記刺入具を回転させる回転機構とを有するアプリケータと、
を備える組織締付装置。
【手続補正書】
【提出日】平成22年1月27日(2010.1.27)
【手続補正１】
【補正対象書類名】特許請求の範囲
【補正対象項目名】全文
【補正方法】変更
【補正の内容】
【特許請求の範囲】
【請求項１】
遊技盤面上に発射した遊技球が始動口に入球することで、図柄表示部にて図柄の変動表示を行う遊技機において、
前記始動口に遊技球が入球することを契機に、当りまたは外れを決定する当否決定手段と、
前記当否決定手段の決定結果を受けて、前記図柄表示部にて前記図柄の変動表示を開始し、所定時間経過後に変動表示している前記図柄を当り図柄または外れ図柄で停止表示させる図柄表示手段と、
前記図柄が前記当り図柄で停止表示することで、閉鎖状態の大入賞口を開放状態にする特別遊技を実行する特別遊技実行手段と、
前記特別遊技の実行契機が前記当り図柄のうち第１当り図柄の停止表示であった場合には、前記特別遊技の終了後に、前記当否決定手段が前記当りを決定する当り確率として所定の通常確率が設定される通常遊技を実行する通常遊技実行手段と、
前記特別遊技の実行契機が前記当り図柄のうち第２当り図柄の停止表示であった場合には、前記特別遊技の終了後に、前記当り確率として前記通常確率より高確率が設定される高確率遊技を実行する高確率遊技実行手段と、
前記特別遊技の終了後に、前記通常遊技と前記高確率遊技のいずれが実行されているかを遊技者が識別困難な共通状態表示を演出表示部で実行する状態表示手段と、
前記高確率遊技中に前記共通状態表示が実行されているときに、前記当否決定手段が前記外れを決定することで、第１演出表示と第２演出表示のいずれを前記演出表示部で実行するかを決定する演出決定手段と、
前記演出決定手段の決定結果を受けて、前記外れの決定を受けて実行される前記図柄の変動表示中に、前記第１演出表示と前記第２演出表示のいずれかを前記演出表示部で実行する演出実行手段と、を備え、 
前記状態表示手段は、
前記第１演出表示が実行された後には、前記共通状態表示を終了して、前記当り確率が前記高確率であることを示す高確率状態表示を実行し、
前記第２演出表示が実行された後には、前記共通状態表示を続行し、
前記演出決定手段は、
前記第２演出表示が実行された後に、前記当否決定手段が前記外れを新たに決定したときには、前記第１演出表示と前記第２演出表示のいずれを実行するかを再度決定可能に構成されることを特徴とする遊技機。
【請求項２】
前記通常遊技中に前記共通状態表示が実行されているときに、前記当否決定手段が前記外れを決定することで、該外れの決定を受けて実行される前記図柄の変動表示中に、前記第２演出表示を前記演出表示部で実行する第３演出実行手段を備えることを特徴とする請求項１に記載の遊技機。
【請求項３】
遊技盤面上に発射した遊技球が始動口に入球することで、図柄表示部にて図柄の変動表示を行う遊技機において、
前記始動口に遊技球が入球することを契機に、当りまたは外れを決定する当否決定手段と、
前記当否決定手段の決定結果を受けて、前記図柄表示部にて前記図柄の変動表示を開始し、所定時間経過後に変動表示している前記図柄を当り図柄または外れ図柄で停止表示させる図柄表示手段と、
前記図柄が前記当り図柄で停止表示することで、閉鎖状態の大入賞口を開放状態にする特別遊技を実行する特別遊技実行手段と、
前記特別遊技の実行契機が前記当り図柄のうち第１当り図柄の停止表示であった場合には、前記特別遊技の終了後に、前記当否決定手段が前記当りを決定する当り確率として所定の通常確率が設定される通常遊技を実行する通常遊技実行手段と、
前記特別遊技の実行契機が前記当り図柄のうち第２当り図柄の停止表示であった場合には、前記特別遊技の終了後に、前記当り確率として前記通常確率より高確率が設定される高確率遊技を実行する高確率遊技実行手段と、
前記特別遊技の終了後に、前記通常遊技と前記高確率遊技のいずれが実行されているかを遊技者が識別困難な共通状態表示を演出表示部で実行する状態表示手段と、
前記高確率遊技中に前記共通状態表示が実行されているときに、前記当否決定手段が前記外れを決定することで、所定の演出表示を前記演出表示部で実行するか否かを決定する演出決定手段と、
前記演出決定手段により前記演出表示の実行が決定されることで、前記外れの決定を受けて実行される前記図柄の変動表示中に、前記演出表示を前記演出表示部で実行する演出実行手段と、を備え、
前記状態表示手段は、
前記演出決定手段により前記演出表示の実行が決定された場合には、前記演出表示が実行された後に前記共通状態表示を終了して、前記当り確率が前記高確率であることを示す高確率状態表示を実行し、
前記演出決定手段により前記演出表示の非実行が決定された場合には、前記共通状態表示を続行し、
前記演出決定手段は、
前記演出表示の非実行を決定した後に、前記当否決定手段が前記外れを新たに決定することで、前記演出表示を実行するか否かを再度決定可能に構成されることを特徴とする遊技機。
【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
複数の図柄が付されているとともに回転可能な複数のリールと、
前記複数のリールの回転を開始させうる始動操作手段と、
前記始動操作手段が操作されたことに基づいて、複数の役のなかからいずれかの役を選び出しうる内部抽選を行なう抽選手段と、
回転状態にある前記複数のリールを、遊技者操作により個別に停止させうる複数の停止操作手段と、
各リールに配置された図柄の一部が表示される表示手段と、
前記停止操作手段が操作されると、前記内部抽選にて選び出された役に対応する図柄組合せが前記表示手段に停止表示されうるように、前記リールを停止制御する停止制御手段と、
特定役に対応する図柄組合せが前記表示手段に停止表示されたことに基づいて、特定の利益を遊技者に付与しうる利益付与手段と、
前記複数の役のうちボーナス役に対応する図柄組合せが前記表示手段に停止表示されたときに、遊技者に有利なボーナスゲームを実行ボーナスゲーム実行手段と、
前記ボーナスゲームの実行中でない遊技状態として、第１遊技状態と、当該第１遊技状態よりも遊技者に有利な第２遊技状態とのうちいずれかに制御可能であるとともに、
前記第１遊技状態にあるときに前記内部抽選において前記特定役が選び出されると、当該第１遊技状態よりも遊技者に不利な前記第２遊技状態に移行制御しうる遊技状態制御手段と
を備え、
前記遊技状態制御手段は、
前記内部抽選において前記特定役が選び出されたにもかかわらず、遊技者による前記停止操作手段の操作によって当該特定役に対応する図柄組合せが前記表示手段に表示されることを回避できたときには、遊技状態が前記第１遊技状態にあったとしても前記第２遊技状態に移行させることなく当該第１遊技状態を継続する
ことを特徴とする遊技機。
【請求項２】
遊技状態が前記第１遊技状態と前記第２遊技状態とのうちいずれにあるかを、画像で表示する状態表示手段をさらに備える
請求項１に記載の遊技機。
【請求項３】
前記状態表示手段は液晶表示装置であり、
前記第１遊技状態と前記第２遊技状態とに関連付けられたキャラクタが前記液晶表示装置に表示されることによって、当該第１遊技状態と当該第２遊技状態とのうちいずれの遊技状態にあるかが示される
請求項２に記載の遊技機。
【手続補正２】
【補正対象書類名】明細書
【補正対象項目名】０００５
【補正方法】変更
【補正の内容】
【０００５】
請求項１に記載の遊技機は、複数の図柄が付されているとともに回転可能な複数のリールと、前記複数のリールの回転を開始させうる始動操作手段と、前記始動操作手段が操作されたことに基づいて、複数の役のなかからいずれかの役を選び出しうる内部抽選を行なう抽選手段と、回転状態にある前記複数のリールを、遊技者操作により個別に停止させうる複数の停止操作手段と、各リールに配置された図柄の一部が表示される表示手段と、前記停止操作手段が操作されると、前記内部抽選にて選び出された役に対応する図柄組合せが前記表示手段に停止表示されうるように、前記リールを停止制御する停止制御手段と、特定役に対応する図柄組合せが前記表示手段に停止表示されたことに基づいて、特定の利益を遊技者に付与しうる利益付与手段と、前記複数の役のうちボーナス役に対応する図柄組合せが前記表示手段に停止表示されたときに、遊技者に有利なボーナスゲームを実行ボーナスゲーム実行手段と、前記ボーナスゲームの実行中でない遊技状態として、第１遊技状態と、当該第１遊技状態よりも遊技者に有利な第２遊技状態とのうちいずれかに制御可能であるとともに、前記第１遊技状態にあるときに前記内部抽選において前記特定役が選び出されると、当該第１遊技状態よりも遊技者に不利な前記第２遊技状態に移行制御しうる遊技状態制御手段とを備え、前記遊技状態制御手段は、前記内部抽選において前記特定役が選び出されたにもかかわらず、遊技者による前記停止操作手段の操作によって当該特定役に対応する図柄組合せが前記表示手段に表示されることを回避できたときには、遊技状態が前記第１遊技状態にあったとしても前記第２遊技状態に移行させることなく当該第１遊技状態を継続するものである。
【手続補正３】
【補正対象書類名】明細書
【補正対象項目名】０００６
【補正方法】変更
【補正の内容】
【０００６】
請求項１に記載の遊技機において、遊技状態が前記第１遊技状態と前記第２遊技状態とのうちいずれにあるかを、画像で表示する状態表示手段をさらに備えることが好ましい（請求項２）。
【手続補正４】
【補正対象書類名】明細書
【補正対象項目名】０００７
【補正方法】変更
【補正の内容】
【０００７】
請求項２に記載の遊技機において、前記状態表示手段は液晶表示装置であり、前記第１遊技状態と前記第２遊技状態とに関連付けられたキャラクタが前記液晶表示装置に表示されることによって、当該第１遊技状態と当該第２遊技状態とのうちいずれの遊技状態にあるかが示されることが好ましい（請求項３）。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正書】
【提出日】平成22年8月30日(2010.8.30)
【手続補正１】
【補正対象書類名】明細書
【補正対象項目名】０００４
【補正方法】変更
【補正の内容】
【０００４】
しかしながら、この様な変動表示ゲームは、提供できる興趣が限られている。よって、遊技機において、遊技者はより高い興趣を得ることができないといった問題点があった。
本発明は、上述した問題点を解決するためになされたものであり、遊技に関与することで興趣を得ることができる遊技機を提供することを目的としている。
【手続補正２】
【補正対象書類名】明細書
【補正対象項目名】０００５
【補正方法】変更
【補正の内容】
【０００５】
この目的を達成するために請求項１記載の遊技機は、複数の識別情報を表示する表示手段と、所定の作動口への球の入賞または通過を検出するスイッチと、そのスイッチによって前記作動口への球の入賞または通過が検出された場合に遊技者に所定の遊技価値を付与するか否かを抽選する抽選手段を備え前記表示手段に前記識別情報の変動表示を行わせる制御手段と、を備え、前記抽選手段によって前記所定の遊技価値を付与する抽選結果が導出された場合に、前記識別情報の変動表示に予め定めた所定の表示結果を現出させ、遊技者に前記所定の遊技価値を付与するものであり、前記表示手段は、該表示手段において実行される表示態様として少なくとも２種類以上の第１表示態様と、その第１表示態様とは別の第２表示態様と、を実行可能であり、前記制御手段は、所定の条件が成立した場合に前記表示手段で所定の第１表示態様を実行させる第１表示態様実行手段と、その第１表示態様実行手段によって実行される第１表示態様の態様を判別可能な態様情報を記憶する態様記憶手段と、遊技者が操作可能な操作手段が操作されたことを検出した場合に、前記操作手段の操作に基づく操作情報を記憶する操作情報記憶手段と、前記態様記憶手段に記憶されている態様情報が所定の態様情報である場合に、前記操作情報記憶手段に記憶される操作情報に基づいて、前記表示手段で所定の第２表示態様を実行させる第２表示態様実行手段と、前記操作手段の操作に基づいて前記表示手段に所定の操作時表示を実行させる操作時表示手段と、前記所定の操作時表示を実行した後に前記操作手段が操作されることに基づいて、前記表示手段の表示態様を変化させる手段と、を備える。
【手続補正３】
【補正対象書類名】明細書
【補正対象項目名】０００６
【補正方法】変更
【補正の内容】
【０００６】
本発明の遊技機によれば、複数の識別情報を表示する表示手段と、所定の作動口への球の入賞または通過を検出するスイッチと、そのスイッチによって前記作動口への球の入賞または通過が検出された場合に遊技者に所定の遊技価値を付与するか否かを抽選する抽選手段を備え前記表示手段に前記識別情報の変動表示を行わせる制御手段と、を備え、前記抽選手段によって前記所定の遊技価値を付与する抽選結果が導出された場合に、前記識別情報の変動表示に予め定めた所定の表示結果を現出させ、遊技者に前記所定の遊技価値を付与するものであり、前記表示手段は、該表示手段において実行される表示態様として少なくとも２種類以上の第１表示態様と、その第１表示態様とは別の第２表示態様と、を実行可能であり、前記制御手段は、所定の条件が成立した場合に前記表示手段で所定の第１表示態様を実行させる第１表示態様実行手段と、その第１表示態様実行手段によって実行される第１表示態様の態様を判別可能な態様情報を記憶する態様記憶手段と、遊技者が操作可能な操作手段が操作されたことを検出した場合に、前記操作手段の操作に基づく操作情報を記憶する操作情報記憶手段と、前記態様記憶手段に記憶されている態様情報が所定の態様情報である場合に、前記操作情報記憶手段に記憶される操作情報に基づいて、前記表示手段で所定の第２表示態様を実行させる第２表示態様実行手段と、前記操作手段の操作に基づいて前記表示手段に所定の操作時表示を実行させる操作時表示手段と、前記所定の操作時表示を実行した後に前記操作手段が操作されることに基づいて、前記表示手段の表示態様を変化させる手段と、を備えるので遊技者に新たな遊技性を提供することができると共に、遊技のバリエーションを豊富にし、遊技の興趣を向上させることができるという効果がある。
【手続補正４】
【補正対象書類名】明細書
【補正対象項目名】０１４３
【補正方法】変更
【補正の内容】
【０１４３】
１０            液晶ディスプレイ（ＬＣＤ、表示手段）
１２            図柄作動口（作動口）
１２ａ          第１種始動口スイッチ（スイッチ）
３３ｅ          芝メモリ（態様記憶手段の一部）
３３ｆ          ダートメモリ（態様記憶手段の一部）
３３ｇ          坂路メモリ（態様記憶手段の一部）
３３ｉ          モチベーションカウンタ（操作情報記憶手段）
Ｃ              主制御基板（制御手段の一部）
Ｄ              表示用制御基板（制御手段の一部）
Ｐ              パチンコ機（遊技機）
Ｓ５１〜Ｓ６３  保留球カウンタ減算処理（抽選手段）
Ｓ６２          放出選択処理（第２表示態様実行手段）
Ｓ７３〜Ｓ８２  （第１表示態様実行手段）
【手続補正５】
【補正対象書類名】特許請求の範囲
【補正対象項目名】全文
【補正方法】変更
【補正の内容】
【特許請求の範囲】
【請求項１】
複数の識別情報を表示する表示手段と、所定の作動口への球の入賞または通過を検出するスイッチと、そのスイッチによって前記作動口への球の入賞または通過が検出された場合に遊技者に所定の遊技価値を付与するか否かを抽選する抽選手段を備え前記表示手段に前記識別情報の変動表示を行わせる制御手段と、を備え、
前記抽選手段によって前記所定の遊技価値を付与する抽選結果が導出された場合に、前記識別情報の変動表示に予め定めた所定の表示結果を現出させ、遊技者に前記所定の遊技価値を付与する遊技機において、
前記表示手段は、
該表示手段において実行される表示態様として少なくとも２種類以上の第１表示態様と、その第１表示態様とは別の第２表示態様と、を実行可能であり、
前記制御手段は、
所定の条件が成立した場合に前記表示手段で所定の第１表示態様を実行させる第１表示態様実行手段と、
その第１表示態様実行手段によって実行される第１表示態様の態様を判別可能な態様情報を記憶する態様記憶手段と、
遊技者が操作可能な操作手段が操作されたことを検出した場合に、前記操作手段の操作に基づく操作情報を記憶する操作情報記憶手段と、
前記態様記憶手段に記憶されている態様情報が所定の態様情報である場合に、前記操作情報記憶手段に記憶される操作情報に基づいて、前記表示手段で所定の第２表示態様を実行させる第２表示態様実行手段と、
前記操作手段の操作に基づいて前記表示手段に所定の操作時表示を実行させる操作時表示手段と、
前記所定の操作時表示を実行した後に前記操作手段が操作されることに基づいて、前記表示手段の表示態様を変化させる手段と、を備えたことを特徴とする遊技機。